(57)【要約】【課    題】部品点数が少なく、かつ、組立て，分解が容易である要件を充足した組立て家具を提供すること。【解決手段】板状部材を曲げたような縦向き面２とその面に連結した横向き面３を具備した曲がり板部材１であって、前記横向き面３がその中間部において適宜の平面角度（３６０°／曲がり板部材の使用個数）で曲がっている曲がり板部材１を、前記カッコ内の式における使用個数用いて各曲がり板部材１の横向き面３を隣り合う曲がり板部材１の横向き面３同士が互に重なるように組立てたこと。【選択図】    図１
2004180807.tif 000002
【特許請求の範囲】
【請求項１】
板状部材を曲げたような縦向き面とその面に連結した横向き面を具備した曲がり板部材であって、前記横向き面がその中間部において適宜の平面角度（３６０°／曲がり板部材の使用個数）で曲がっている曲がり板部材を、前記カッコ内の式における使用個数用いて各曲がり板部材の横向き面を隣り合う曲がり板部材の横向き面同士が互に重なるように組立てたことを特徴とする組立て家具。
【請求項２】
曲がり板部材は、その横向き面の向う側と手前側の境界部に、この曲がり板部材の厚さに見合う上下方向での段差を付与した請求項１の組立て家具。
【請求項３】
組立て家具は、スツール又はテーブルである請求項１又は２の組立て家具。
【請求項４】
曲がり板部材は、木質系又はプラスチック系の成形材、若しくは金属板で形成した請求項１〜３のいずれかの組立て家具。
【請求項５】
曲がり板部材を３個使用してスツール又はテーブルを形成した請求項１〜４のいずれかの組立て家具。
【発明の詳細な説明】
【０００１】
【発明の属する技術分野】
本発明は複数の同一形態の部品を複数個、ベストモードでは３個使用して組立，分解自在にした特にスツールやテーブルに良好な組立家具に関する。
【０００２】
【従来の技術】
従来から木質系や合成樹脂系の板材を家具のパーツに成形し、各成形パーツを適宜の結合手段を介して接合することにより、所望家具に組立てることが行われている。
【０００３】
一般に、組立て式家具においては、部品点数が少ないこと、組立て，分解が容易であることなどが要請されるが、組立て家具の形態によっては、この要請を満足できる製品は極めて少ない。
【０００４】
【発明が解決しようとする課題】
本発明は組立て家具における上記要請、即ち、部品点数が少なく、かつ、組立て，分解が容易である要件を充足した組立て家具を提供することを、その課題とするものである。
【０００５】
【課題を解決するための手段】
上記課題を解決することを目的としてなされた本発明組立て家具の構成は、板状部材を曲げたような縦向き面とその面に連結した横向き面を具備した曲がり板部材であって、前記横向き面がその中間部において適宜の平面角度（３６０°／曲がり板部材の使用個数）で曲がっている曲がり板部材を、前記カッコ内の式における使用個数用いて各曲がり板部材の横向き面を隣り合う曲がり板部材の横向き面同士が互に重なるように組立てたことを特徴とするものである。
【０００６】
上記構成の組立て家具は、それをスツールとして形成したり、テーブルとして形成することができる。このスツールやテーブルを形成するために使用する曲がり板部材は、木質系合板又はプラスチック板、或は、これらの複合板や金属板により形成し、また、使用する個数も、ベストモードは３個であるが、４個以上を使用した組立て形態であってもよい。
【０００７】
【発明の実施の形態】
次に、本発明組立て家具の実施の形態例について、図を参照しつつ説明する。図１は本発明組立て家具をスツールに展開した一例の斜視図、図２は図１のスツールの正面図、図３は図２のスツールの平面図、図４は図２のスツールの底面図、図５は図１〜図４のスツールに使用する１個の曲がり板部材の平面図、図６は図５のＡ−Ａ矢視図、図７は図１〜図６で説明したスツールにおける各曲がり板部材の結合態様の一例を示す斜視図、図８（ａ），（ｂ）は図７の結合態様の一例を説明するための要部の拡大斜視図で（ａ）は結合前の斜視図、（ｂ）は結合時の斜視図、図９（ａ），（ｂ）は曲がり板部材同士の結合態様の第二例を説明するための図で、（ａ）は結合前の端面図、（ｂ）は結合時の端面図、図１０（ａ），（ｂ）は曲がり板部材同士の結合態様の第三例を説明するための図で（ａ）は結合前の断面図、（ｂ）は結合時の断面図、図１１は曲がり板部材同士の結合態様の第四例を説明するための図で（ａ）は結合前の断面図、（ｂ）は結合時の断面図、図１２（ａ）〜（ｅ）は本発明スツールの組立順序を説明するための斜視図である。
【０００８】
図１は本発明組立て家具をスツールに形成した例の斜視図で、図５，図６に示す曲がり板部材１を３個使用してスツールに組立てたものである。
【０００９】
図５，図６に例示した曲がり板部材１は、適宜の幅ｗと高さｈの縦向き面２と、この面２の上端部を略９０度に近い角度、或は、９０度よりも大きい角度で水平方向に曲げて形成した横向き面３とから成る。
【００１０】
前記横向き面３は、その長さ方向のほぼ中間部において手前側の面３１と向う側の面３２に分けられると共に、両面３１と３２が平面から見て図５では倒れた略くの字状をなすように形成されていると共に、向う側（前方側）の面３２が手前側の面３１との境界において、この板部材１の厚みに見合う上下差がある段部３３を介して連続している。なお、３４は平面略倒くの字状をなす手前側の面３１と向う側面３２の境界部に形成した略１／２角形状をなす切欠部である。
【００１１】
上記構成を付与した曲がり板部材１は、この実施例においては、その３個を使用してスツールに組立ることができるので、その組立て態様の一例について図１２を参照して説明する。
【００１２】
図１２において、まず、１番目の曲がり板部材１をその縦向き面２を立てた状態に保持し（図１２（ａ）参照）、この状態で２番目の曲がり板部材１を、その縦向き面２が、１番目の板部材１における縦向き面２から反時計回り側に略１２０離隔して位置させ、かつ、当該２番目の板部材１の横向き面３における向う側（前方側）の面３２が、１番目の板部材１における横向き面３における手前側の面３１の上に重ねられる（図１２（ｂ）参照）。
【００１３】
次に、１番目の板部材１から時計回り側に略１２０度離れた地点に３番目の曲がり板部材１を置き、この３番目の板部材１における横向き面３の手前側の面３１の上に、１番目の板部材１における向う側の面３２を重ねると共に、当該３番目の板部材１の向う側の面３２を２番目の板部材１における手前側の面３１の上に重ねる（図１２（ｃ）参照）。この状態で組上げた３個の曲がり板部材を図１２（ｄ）のように裏返し、所要部位にビス４ａを立てることにより、図１２（ｅ）、又は、図１に示すように、平面から見て略六角形で３本脚を具備した形態のスツールＳＴに組立てられるのである。
【００１４】
上記のように組立てられた本発明組立て家具の一例であるスツールＳＴは、３個の板部材１における３つの略くの字状をなす横向き面３が、互に、略１／２の面積において交互に上，下に重なった状態に組合せられるから、３つの板部材１の横向き面３に縦荷重が掛かると、その荷重が互に重なった各横向き面３を介して３本の脚となる各縦向き面２に支持されるので、すこぶる安定に縦荷重を支えることができる。
【００１５】
上記スツールＳＴは、３個の曲がり板部材１における各横向き面３が左右で隣合う各板部材１の横向き面３において上，下で重なって組合せられるため、縦荷重に対しては強固な耐荷重性を発揮するが、各横向き面３の重なりは各面３に沿った方向で何ら拘束されていない場合には、例えば、組立て状態にあるスツールＳＴにおける１個の曲がり板部材１に横方向（水平方向）から外力が作用すると、その板部材１が他の板部材１の組合せからずれたり、外れるおそれがないとはいえない（このため図１２の組立て例ではビス４ａにより各曲がり板部材１同士を固定している）。
【００１６】
そこで本発明では、各曲がり板部材１における横向き面３において、図７〜図１１に例示するように、手前側の面３１の上面と向う側の面３２の下面を、粗面に形成して互に粗面同士の噛合せに近い状態やフクリションにより滑り難い状態にしたり、或は、これらの面３１，３２に面ファスナや面磁石のような面状結合部材５ａ，５ｂを設ける構成とすることがある（図９参照）。また、図１０や図１１に例示したように、重なった面３１，３２同士をビス４ａとビス受け４ｂにより結合したり、ダボ６ａとダボ穴６ｂの嵌合により拘束したり、或は、図７，図８に示すように重なった面３１，３２の縁をクリップ７などの挟持手段で上下から挟んで拘束することでもよい。
【００１７】
本発明では、上記の拘束手法に代えて、組立てたスツールＳＴの中央部に形成される３個の切欠部３４による穴Ｈに、下面側に前記穴Ｈに入るボス状のネジ部を設けた平板状のセンター部材（図示せず）を当てがい、スツールＳＴの下面側から前記ネジ部に押えナットを取付けて締付けることにより、上下で互に重なった各面３１，３２を上，下面から拘束することもできる。
【００１８】
以上に説明した例は、本発明組立て家具をスツールＳＴに適用したものであるが、本発明では曲がり板状部材１の縦向き面２の幅ｗと高さｈを適宜に設定することにより、本発明組立て家具を、図示しないがテーブルなどの卓にとして形成することができる。
【００１９】
以上述べた本発明組立て家具は、曲がり板部材１を３個使用する形態であったから、座面（テーブルの場合は頂面）の外周は使用した板部材１の数の２倍の辺数を有する略六角形輪郭になったが、本発明は曲がり板部材１を４個以上用いた組立て家具に適用することができる。この場合の座面（頂面）の外周は、使用する曲がり板部材１の数の２倍の数の辺を有する多角形輪郭となる。
【００２０】
また、本発明組立て家具は、曲がり板部材１の使用個数に拘わらず、同じものをスタッキングすることができる。これは、座面（頂板）の多角形外輪郭上において、一つの辺のおきに脚となる縦向き面２が位置するので、下の家具の縦向き面２がない部位に上の家具の縦向き面２を位置付ければよいからである。
【００２１】
【発明の効果】
本発明は以上の通りであって、全く同一形態の部品を複数個使用してスツールやテーブル状の組立て家具を形成することができるので、部品の種類が単一で済み、製造コストが容易かつ低コストになり、また、組立て、分解操作も簡易であるという固有の効果が得られる。
【図面の簡単な説明】
【図１】本発明組立て家具をスツールに展開した一例の斜視図。
【図２】図１のスツールの正面図。
【図３】図２のスツールの平面図。
【図４】図２のスツールの底面図。
【図５】図１〜図４のスツールに使用する１個の曲がり板部材の平面図。
【図６】図５のＡ−Ａ矢視図。
【図７】図１〜図６で説明したスツールにおける各曲がり板部材の結合態様の一例を示す斜視図
【図８】図７の結合態様の一例を説明するための要部の拡大斜視図で（ａ）は結合前の斜視図、（ｂ）は結合時の斜視図
【図９】曲がり板部材同士の結合態様の第二例を説明するための図で、（ａ）は結合前の端面図、（ｂ）は結合時の端面図
【図１０】曲がり板部材同士の結合態様の第三例を説明するための図で（ａ）は結合前の断面図、（ｂ）は結合時の断面図
【図１１】曲がり板部材同士の結合態様の第四例を説明するための図で（ａ）は結合前の断面図、（ｂ）は結合時の断面図
【図１２】本発明スツールの組立順序を説明するための斜視図
【符号の説明】
１        曲がり板部材
２        縦向き面
３        横向き面
３１        横向き面３の手前側の面
３２        横向き面３の向う側の面
３３        曲がり板部材１の厚みに見合う上下差を持つ段部
３４        切欠部
ＳＴ        スツール
【図１】
2004180807.tif 000003
【図２】
2004180807.tif 000004
【図３】
2004180807.tif 000005
【図４】
2004180807.tif 000006
【図５】
2004180807.tif 000007
【図６】
2004180807.tif 000008
【図７】
2004180807.tif 000009
【図８】
2004180807.tif 000010
【図９】
2004180807.tif 000011
【図１０】
2004180807.tif 000012
【図１１】
2004180807.tif 000013
【図１２】
2004180807.tif 000014